(57)【特許請求の範囲】
【請求項１】
貯蔵空間を有し、その貯蔵空間の下端に設けられた密閉板、折りたためるように形成された折りたたみ線を有する折りたたみ部、および該折りたたみ部に設けられた排出部を備える貯蔵部と、
折りたためるように形成された前記排出部に結合された外部キャップと、
前記排出部に挿入された排出台と、
前記排出台を持ち上げることで円弧運動させて垂直に立たせるまでに、前記排出台の貯蔵部側端部が当接する凸部を有する形状であり、該凸部に前記排出台の貯蔵部側端部が当接した後、さらに前記排出台を持ち上げることによって密閉板を破裂させる作動部材と、を含むことを特徴とする異種物質を貯蔵する貯蔵空間を有するパウチ容器用キャップ。
【請求項２】
前記排出台は、作動部材に力を加える作動突起を備えている、請求項１記載のパウチ容器用キャップ。
【請求項３】
前記排出台は、空気流入部を備えている、請求項１記載のパウチ容器用キャップ。
【請求項４】
前記作動部材は、貯蔵部の内面に固定されて円弧運動をする、請求項１記載のパウチ容器用キャップ。
【発明の詳細な説明】
【技術分野】
【０００１】
本発明は、容器に貯蔵された主内容物と混合できる異種物質を貯蔵する貯蔵空間を有するキャップ構造に関するものである。
【背景技術】
【０００２】
多様な産業分野において、混合物の使用前に、混合物を製造するために、二つ以上の異種物質をお互いに混合する必要が時々ある。
【０００３】
たとえば、飲料産業分野で、使用者は水にビタミンや香料を添加することを望む。このため、使用者は、ビタミンや香料と別のボトル水とを購入して、ボトル水にビタミンや香料を混合する。
【発明の開示】
【発明が解決しようとする課題】
【０００４】
本発明は、詳述した従来技術の問題点を解決するためのものである。
本発明の目的は、キャップを簡単に開けることによって、キャップに結合された容器内に貯蔵された主内容物に異種物質を混合できる、貯蔵空間を有するキャップを提供することにある。
本発明の他の目的は、 異種物質の貯蔵空間を有するキャップを採用した製品を提供することにある。 
【課題を解決するための手段】
【０００５】
前記目的を達成するために、本発明は、 貯蔵空間を有し、その貯蔵空間の下端に設けられた密閉板、折りたためるように形成された折りたたみ線を有する折りたたみ部、および該折りたたみ部に設けられた排出部を備えた貯蔵部と、折りたためるように形成された前記排出部に結合された外部キャップと、前記排出部に挿入された排出台と、
前記排出台を持ち上げることで円弧運動させて垂直に立たせるまでに、前記排出台の貯蔵部側端部が当接する凸部を有する形状であり、該凸部に前記排出台の貯蔵部側端部が当接した後、さらに前記排出台を持ち上げることによって密閉板を破裂させる作動部材とを含む、異種物質を貯蔵する貯蔵空間を有するキャップを提供する。
【発明を実施するための最良の形態】
【０００６】
以下、本発明の好ましい実施形態を添付した図面を参照して説明する。
図１乃至図３は、本発明の第１の実施形態におけるキャップ構造を示す。
【０００７】
キャップ１は容器に螺子結合される。
前記キャップ１は、貯蔵空間部１１の範囲を決める貯蔵部１２を有するキャップ本体１０と、このキャップ本体１０に結合した外部キャップ２０とからなる。
【０００８】
前記キャップ１は、密閉板３０と、外部キャップ２０の操作に従って前記密閉板３０を破壊し開放させるようにする作動部材４０とをさらに含む。 前記作動部材４０は、貯蔵部１２の内部に位置する。
前記密閉板３０は、合成樹脂またはアルミニウムからなり、貯蔵部１２の下端に接着される。
【０００９】
前記キャップ本体１０には、折りたたみ線１３を有する折りたたみ部２１が形成されている。この折りたたみ部２１の外面には排出部２４が形成されており、この排出部２４は外部キャップ２０に結合される。排出部２４には排出台２２が挿入されている。
【００１０】
前記排出台２２には、密閉板３０を破壊するための作動突起２３が下向きに延長形成されている。 前記排出部２４には、排出台２２の脱離を防止するためのホック手段２７が形成されている。 排出孔２８が混合物を排出されるために形成されている。
前記排出台２２は排出通路２５を備えており、空気流入部２６が長さの方向に形成されている。
前記作動部材４０は、貯蔵部１２の内側に固定された固定部４１と、連結部４２によって連結している。
【００１１】
このように構成された実施形態においては、貯蔵部１２内に異種物質が充填された状態で、密閉板３０は接着され、外部キャップ２０に結合されたキャップ本体１０が容器に固定される。
この状態で、前記排出部２４及び外部キャップ２０は、図２に示すように水平面に位置する。
【００１２】
この時、図１に示すように、外部キャップ２０及び排出部２４を垂直に立つような状態に位置させると、折りたたみ部２１が折りたたみ線１３によって外側に引き出され、排出台２２に形成された作動突起２３は円弧運動をしながら作動部材４０に力を加え、前記作動部材４０は密閉板３０を破裂させる。
これによって、貯蔵部１２に充填された異種物質は、容器に落下して容器内の内容物と混合される。
【００１３】
そして、外部キャップ２０を分離すると、異種物質と内容物が混合された混合物は、排出台２２の排出孔２８を通じて排出通路２５から排出される。
前記排出台２２は昇降自在であるので、使用者は混合物を便利に飲用できる。また、空気流入部２６が前記排出台２２に形成されているので、混合物は円滑に排出できる。
【００１４】
図４には、本発明の第１の参考例を図示した。
キャップ本体１０には貯蔵空間部１２が形成されている。この貯蔵空間部１２の下側に密閉板３０が接着される。前記キャップ本体１０の外側にはパウチ容器１００が接着される。
【００１５】
図５及び図６は、本発明の第２の参考例を示す。
本参考例において、空間部５１の内には密閉手段５２が形成されている。
前記空間部５１の内には折りたたみ線５３によって折りたたまれる折りたたみ部５４が一体形成されている。この折りたたみ部５４には排出部５５が形成されており、この排出部５５には外部キャップ２０が結合される。
図７においては、キャップ１０の上側開口部の上に保護部材７０が形成され、この保護部材７０には凹溝部７１が形成されている。
【００１６】
図８乃至図１０は、本発明の第３の参考例を示す。
キャップ１は、キャップ本体１０と、このキャップ本体１０に形成された排出部９０とを含む。
前記排出部９２の上には、引き輪９４を備えた切取り板９５が形成されている。
図１１乃至図１３は、本発明の第４の参考例を示した図面である。
本参考例は、第１の実施形態と類似している。
【００１７】
図１４は、本発明の第５の参考例を示した図面である。
引出用羽根が前記排出部１４０に形成されている。本参考例においては、排出部１４０を開閉させる別途の外部キャップを必要としない。
図１５及び図１６は、本発明の第６の参考例を示した図面である。
本参考例においては、容器はボール箱の形式になっている。
空気流入部１５７は前記排出部１５０に形成されている。
【００１８】
図１７及び図１８は、本発明の第１の実施形態に類似した第７の参考例を示す図面である。
図１９及び図２０は、本発明の第７の参考例に類似した第８の参考例を示す図面である。
図２１及び図２２は、本発明の第９の参考例を示した図面である。
隔壁２１１が前記キャップ本体に形成されている。
貯蔵部材２２０は、異種物質を貯蔵し、回動することによって異種物質を排出するように設計されている。異種物質の排出後には、混合物を排出するための排出台として機能する。
【００１９】
図２３乃至図２５は、本発明の第１０の参考例を示す図面である。
排出部２３４は貯蔵部２３２に形成されている。作動部材２４０は貯蔵空間部２３３に結合されている。
【００２０】
図２６及び図２７は、本発明の第１１の参考例を示す図面である。
外部キャップ２０は、回動自在にキャップ本体に結合されている。外部キャップ２０には貯蔵空間部２８０が設けられている。外部キャップ２０にはストッパー２８２が形成されており、これが結合部２７０に接触する。
前記外部キャップ２０がストッパー２８２によって一定な角度だけ回動されて貯蔵空間部２８０と密閉溝２７１とが連通する。
前記外部キャップ２０を横たえると、また密閉溝２７１が閉鎖される。
【産業上の利用可能性】
【００２１】
以上記述したように、本発明は排出台を有するパウチ容器に適用され、この排出台は衛生的に保護できる。また、本発明はこのようなパウチ容器の大量生産方法に適している。
【図面の簡単な説明】
【００２２】
【図１】本発明の第１の実施形態による貯蔵空間を有するキャップの斜視図である。
【図２】図１の断面図である。
【図３】図１の使用状態を示した斜視図である。
【図４】本発明の第１の参考例によるキャップを示した断面図である。
【図５】本発明の第２の参考例によるキャップの断面図である。
【図６】図５のキャップの作動状態を示した断面図である。
【図７】キャップの変形例を示した斜視図である。
【図８】乃至
【図１０】本発明の第３の参考例によるキャップを示した図面である。
【図１１】乃至
【図１３】本発明の第４の参考例によるキャップを示した図面である。
【図１４】本発明の第５の参考例によるキャップの断面図である。
【図１５】本発明の第６の参考例によるキャップの一部切開状態の側面図である。
【図１６】本発明の第６の参考例によるキャップ構造の作動状態を示した一側面図である。
【図１７】及び
【図１８】本発明の第７の参考例によるキャップを示した図面である。
【図１９】及び
【図２０】本発明の第８の参考例によるキャップを示した図面である。
【図２１】及び
【図２２】本発明の第９の参考例によるキャップを示した図面である。
【図２３】乃至
【図２５】本発明の第１０の参考例によるキャップを示した図面である。
【図２６】及び
【図２７】本発明の第１１の参考例によるキャップを示した図面である。
【図１】
0004839227.tif 000002
【図２】
0004839227.tif 000003
【図３】
0004839227.tif 000004
【図４】
0004839227.tif 000005
【図５】
0004839227.tif 000006
【図６】
0004839227.tif 000007
【図７】
0004839227.tif 000008
【図８】
0004839227.tif 000009
【図９】
0004839227.tif 000010
【図１０】
0004839227.tif 000011
【図１１】
0004839227.tif 000012
【図１２】
0004839227.tif 000013
【図１３】
0004839227.tif 000014
【図１４】
0004839227.tif 000015
【図１５】
0004839227.tif 000016
【図１６】
0004839227.tif 000017
【図１７】
0004839227.tif 000018
【図１８】
0004839227.tif 000019
【図１９】
0004839227.tif 000020
【図２０】
0004839227.tif 000021
【図２１】
0004839227.tif 000022
【図２２】
0004839227.tif 000023
【図２３】
0004839227.tif 000024
【図２４】
0004839227.tif 000025
【図２５】
0004839227.tif 000026
【図２６】
0004839227.tif 000027
【図２７】
0004839227.tif 000028